(57)【要約】      （修正有）【課題】吹流し、鯉のぼりがバランスよく泳いでいるように見え、取り付け取り外しが簡単迅速にできる。【解決手段】ロープの先端部をポールの上部へ螺着した横棒の端部へ係止させ、下端部をポールの下部へ結び付けし、上記ポールの外周部へ適宜間隔を置いて、小リングと重なり合って連結してなる大リングを嵌着し、小リングの両端部に設けた孔部と凸部との着脱によって、吹流し、鯉のぼりの口部の取付紐を小リングへ着脱自在に接続できるようにし、次いで、ポールの下部をベース上へ取付した断面コ状支版へ挿込挟止したのち螺子にてポールをベース上へ起伏自在に枢着し、さらにベース上へ屋根部分に水を収容して重しの機能を兼ねた屋根飾り蔵を載置してなる座敷用掲揚立体鯉のぼりにて解決をなした。【選択図】図１
0003129580.tif 000002
【実用新案登録請求の範囲】
【請求項１】
吹流し、鯉のぼり本体内へフィルム風船を収容して膨張させた吹流し、鯉のぼりをロープへ適宜間隔を置いて吊下げしてなる屋内外掲揚立体鯉のぼりに於いて、ロープの先端部をポールの上部へ螺着した横棒の端部へ係止させ、下端部をポールの下部へ結び付けし、上記ポールの外周部へ適宜間隔を置いて、小リングと重なり合って連結してなる大リングを嵌着し、小リングの両端部に設けた孔部と凸部との着脱によって、吹流し、鯉のぼりの口部の取付紐を小リングへ着脱自在に接続できるようにし、次いで、ポールの下部をベース上へ取付した断面コ状支版へ挿込挟止したのち螺子にてポールをベース上へ起伏自在に枢着し、さらにベース上へ屋根部分に水を収容して重しの機能を兼ねた屋根飾り蔵を載置してなる座敷用掲揚立体鯉のぼり。
【考案の詳細な説明】
【技術分野】
【０００１】
本考案は、座敷用掲揚立体鯉のぼりに関し、さらに詳しくは下記の構成を有する室内で屋根より高い鯉のぼりをイメージさせる豪華な座敷用掲揚立体鯉のぼりに関するものである。
＜構成１＞
吹流し、鯉のぼり本体内へフィルム風船を収容して膨張させた吹流し、鯉のぼりをロープへ適宜間隔を置いて吊下げしてなる屋内外掲揚立体鯉のぼりに於いて、ロープの先端部をポールの上部へ螺着した横棒の端部へ係止させ、下端部をポールの下部へ結び付けし、上記ポールの外周部へ適宜間隔を置いて、小リングと重なり合って連結してなる大リングを嵌着し、小リングの両端部に設けた孔部と凸部との着脱によって、吹流し、鯉のぼりの口部の取付紐を小リングへ着脱自在に接続できるようにし、次いで、ポールの下部をベース上へ取付した断面コ状支版へ挿込挟止したのち螺子にてポールをベース上へ起伏自在に枢着し、さらにベース上へ屋根部分に水を収容して重しの機能を兼ねた屋根飾り蔵を載置してなる座敷用掲揚立体鯉のぼり。
【背景技術】
【０００２】
マンション・団地などの高層住宅の激増に随伴して、鯉のぼりの掲揚も隣接する住人感情への配慮を考えながら掲揚せざるを得ない社会実情に鑑み、出願人は屋内でも、つまり無風状態でも鯉のぼりが常時ほぼ設置面と平行して立体感を保持しつつ、絶えず鯉が泳いでいるように見える鯉のぼりを鋭意創作、考案して既にこの世に提供して来た（実用新案登録第３１０１７１２号参照）。
【０００３】
すなわち、吹流し、鯉のぼり本体中へフィルム風船を嵌脱自在に収容し、該吹流し、黒・赤・青鯉のぼり中のフィルム風船へ空気を入れて膨張させた吹流し、鯉のぼりの背びれ部へロープに取り付した口金具のフックに接続されたクリップにてロープへ吹流し、鯉のぼりを着脱自在に挟止固定して、吹流し、鯉のぼりを屋内に於いて並行且立体的に泳いでいるように掲揚可能とし、また、吹流し、鯉のぼり本体より内部のフィルム風船を脱離し、屋外にて従来の掲揚も可能とし、且ロープの下端へ香料入りの宝袋を結び付けしてなる屋内掲揚立体鯉のぼり、及びロープの口金具へフィルム風船を抜き出した吹流し、黒・赤・青鯉のぼりを夫々取付し、水を入れた水袋をネットの中に入れて、ロープの下端へ結び付けして成る屋外掲揚立体鯉のぼりである。
【０００４】
上記登録実用新案は図４，５に示すように鯉のぼり本体内部に鯉型のフィルム風船２ａからなる魚型ふうせんを収納したのち、空気を入れて膨張させ、かつ背びれ部５に取付孔６を設け、ひも８で掛止された口金具７を用いて該取付孔６と係止固定し、掲揚することにより、常時設置面と並行にかつ立体的な形状を有しながら鯉が泳いで見える美しい鯉のぼりの研究開発に成功した。
そののち、この立体鯉のぼりは需要者に広く重宝され、斯界に於いて頗る好評を博して今日に至っている。
【０００５】
よって、下記特許文献１は屋内のような無風状態に於いても、鯉型のフィルム風船を収容した鯉のぼりが常時ほぼ設置面と平行に立体的形状を維持しながら絶えず鯉が泳いでいるように見えるように構成され、室内でも屋根より高い鯉のぼりをイメージさせる豪華な座敷用鯉のぼりとして非常に優れた考案であって、鯉のぼり愛好者に高く評価されている。
【０００６】
次に、下記特許文献２がある。すなわち、シート部材の一主表面のうち一主表面の少なくとも一部が凸面を形成するように曲げられた骨部材と、中空管形状の本体部と、を備えてなり、骨部材のうち少なくとも該凸面を形成する一主表面を含む部分である凸部分が、本体部の内部に挿入されることで、該凸部分のうち他主表面側に該本体部の内部空間が形成される室内用鯉のぼりである（実用新案登録第３１１７８０６号参照）。
確かに、特許文献２に於いては、特許文献１のように鯉型ふうせんへの空気注入や鯉型ふうせんから空気の抜き取りの手間はなくなる。
【０００７】
しかしながら、特許文献１に於いては図４に示すように、鯉型ふうせんへの空気注入を必ずしも人間がストローにて空気を注入しなければならない謂われはなく、市販の空気入れ器具を使用すれば頗る容易且迅速にできる。
それはさておき、特許文献２に於いては、骨部材と本体部材との組合せの構成から成るゆえ、鯉のぼりの立体的、外観的形状にしなやかさが欠け、硬骨さを余儀なくされる難点は避けられなかった。したがって、特許文献２の室内用鯉のぼりでは、特許文献１の鯉型のフィルム風船を収容した鯉のぼりのように、鯉が泳いで見えるような、とてもソフトでスマートで、然もエレガントさが醸し出される風流な鯉のぼりさは到底望め得なかった。
【特許文献１】登録第３１０１７１２号実用新案公報
【特許文献２】登録第３１１７８０６号実用新案公報
【考案の開示】
【考案が解決しようとする課題】
【０００８】
以上より、従来の問題点を本考案が解決しようとする課題を以下のように設定した。
＜課題１＞
室内で使用する鯉のぼりの場合、どうしても無風状態のため、吹流し、鯉のぼりが泳いで見えるように見せるためには、吹流し、鯉のぼりの中心部よりロープにて吊下げておかなければならなかった。しかし、この手段を以ってしても吹流し、鯉のぼりが泳いで見せるためのバランスが良いとは決して言えなかった。また、吹流し、鯉のぼりはその口部をポールに取付してあるというイメージが一般の鯉のぼり愛好者には強く印象付けられている。したがって、仮令、室内用であっても吹流し、鯉のぼりの口部がポールに取付されていないと鯉のぼりの掲揚としては当然不自然さを感じさせることは免れなかった。屋内用鯉のぼりとしては、この点を解決することが喫緊の課題であった。
＜課題２＞
室内用の鯉のぼりを掲揚するために、ポールをベース上へ植立したり取外したりするのに頗る面倒な手間が余儀なくされた。つまり、狭い室内で行なうため、色々注意しながら行なわなければならない難儀さが伴った。本考案は、この点の課題を解決するためになされたものである。
＜課題３＞
特許文献２の図１に示すように、室内用の鯉のぼりはただ支柱へ吊下げておけば良いと言うものではない。やはり、鯉のぼりというものは屋根より高いというイメージが子供心にも感じ取っているゆえ、室内鯉のぼりと雖も屋根より高いというイメージが湧くような風流さとセンスが要求される。この喫緊の課題を解決せんがためになされたものである。
【課題を解決するための手段】
【０００９】
本考案は、上記課題を解決せんとしてなされたものであって、以下の解決手段を提供するものである。
＜解決手段１＞
本考案は、ポールへ小リングと重なり合って接続する大リングを適宜間隔を置いて固着し、上記小リングの両端部には孔部と凸部を設けて、孔部と凸部との嵌合、脱離自在にして、吹流し、鯉のぼりの口部に設けた取付紐を小リングへ迅速且簡易に着脱できるように構成した座敷用掲揚立体鯉のぼりにて課題１を解決するものである。
＜解決手段２＞
本考案は、下部ポールの下部に設けた螺孔と断面がコ状の支版両側板部に設けた螺孔とへ螺子を螺入してナットにて緊締固止して上記螺子を支点として、ポールが起揚、伏倒自由に装着したゆえ、ポールの折畳が容易且迅速に行なうことができるようになって、前記課題２を解消することができるようになった。
＜解決手段３＞
本考案は座敷用鯉のぼりと雖も屋根より高いという豪華なイメージを持たせるために、ポールを支持するベース上に屋根部分に水を入れ、重しの機能を兼ねた屋根飾り蔵を載置した。したがって、絶えず吹流し、鯉のぼりは屋根飾り蔵より高い位置にあって、鯉が泳いでいるように見えるゆえ、座敷用鯉のぼりとしての従来の課題３が克服、解消されるに至った。
【考案の効果】
【００１０】
本考案は、フィルム風船を収容し膨張させた吹流し、鯉のぼりの口部をポールに取り付けするのに、ポールへ固着した大リングに重なり合って接続する小リングの開閉によって取付紐を介して簡単且迅速に行なえるようになった。したがって、吹流し、鯉のぼりをポールから着脱することが頗る便利になった。
【００１１】
本考案は、ベース上へ断面コ型支版を取付して、該支版へ挿着したポールを起伏自在に枢着してなるゆえ、ポールの折畳が頗る容易且迅速に行なうことができるようになった。
【００１２】
本考案は、ベース上へ屋根部分に水を入れ重しの機能を備えた屋根飾り蔵を載置したゆえ、鯉のぼりの安定感が顕著に増大した。且又、吹流し、鯉のぼりがベース上の屋根飾り蔵より高い位置にあるため座敷用鯉のぼりとしても、屋根より高い豪華な鯉のぼりのイメージが現れ、鯉のぼりとしての存在感が高まり、さらに子供心の趣向をも向上させた。
【考案を実施するための最良の形態】
【００１３】
本考案を実施するための最良の形態を、以下に図面を参照しながら詳細に説明する。なお、以下に説明する実施例１の座敷用掲揚立体鯉のぼりは、解決手段１あるいは解決手段に記載の考案の一実施例である。
【実施例１】
【００１４】
＜実施例１の構成＞
図１に示すように、吹流し１１、鯉のぼり本体中へフィルム風船２ａを嵌脱自在に収容し、該吹流し１１、黒鯉のぼりＡ１  、赤鯉のぼりＢ２、青鯉のぼりＣ３のフィルム風船２ａへ空気を入れて膨張させた吹流し１１、鯉のぼりをロープ８にて適当な間隔を置いて吊下げする。そして、吹流し１１、鯉のぼりの背びれ部１７へロープ８に取付した口金具７のフックに接続されたクリップ７Ａにて鯉のぼりを着脱自在に挟止固定して、吹流し１１、鯉のぼりを屋内に於いて並行且立体的に泳いで見えるように掲揚可能とする。
【００１５】
ロープ８の先端部はポール９の上部に穿設した螺孔へ螺入されてナット１４にて固着した横棒１５の先端部に引掛して係止されている。また、ロープ８の後端部はポール９の下部に結縛しておく。
図３ｂに示すように、小リング４には一側部に空間部Ｘが開放されていて、該小リング４の一端部には孔部５が設けられ、他端部には凸部６が設けられている。そして、該凸部６を孔部５へ着脱自由として、小リング４は凸部６を孔部５への着脱によって小リング４の空間部Ｘが開閉自在に構成されている。
そして、上記小リング４は図３ｂのように大リング３へ嵌り込みされている。このように小リング４と、嵌合して組み合わされた大リング３はポール９に適当な間隔を置いて（図１では４個）嵌入固止されている。次いで、開放されている状態の小リング４へ上記吹流し１１、鯉のぼりの鯉型のフィルム風船２ａを収容する鯉のぼり本体の口部１の取付紐２を小リング４の空間部Ｘより挿込みしたのち、小リング４の凸部６を孔部５へ挿着して小リング４の空間部Ｘを遮蔽する。したがって、吹流し１１、鯉のぼりの取付紐２は、小リング４中に引掛けられた状態を維持される。すると、図１に示すように、吹流し１１及び黒、赤、青の鯉のぼりＡ１、Ｂ２、Ｃ３は恰も屋根より高い鯉のぼりをイメージさせるように設置面と並行して鯉が泳いでいる状態に見える。
【００１６】
ベース１０上には、ポール９に取付した吹流し１１、黒鯉のぼりＡ１、赤鯉のぼりＢ２、青鯉のぼりＣ３が夫々室内で安定して屋根より高く泳いでいるかのように見せるため、屋根部分に水を入れ重しの機能を兼ねた屋根飾り蔵１６が載置してある。
【００１７】
図２ａに示すように、ポールは下部ポール９Ａと中間部ポール９Ｂとで組立式になっており、下部ポール９Ａの下部はベース１０上の側部に植設されてた断面がコ状の支版１２中に嵌入されて挟止される。そして、下部ポール９Ａの下部に設けた螺孔と支版１２の両側部に設けた螺孔とへ螺子１３を螺入してナット１４にて螺着する。そして、ポール９が図２（ａ）に示すように、矢印方向に直立、伏倒自在にベース１０上に枢着されるものである。したがって、鯉のぼりを格納しておくときには、ナット１４を弛緩することによって図２ａ矢印に示すように下部ポール９Ａを下方へ伏倒すればよく、反対に鯉のぼりを使用する際には下部ポール９Ａを上方へ起揚すれば良い。
【００１８】
＜実施例１の使用方法、使用状態＞
特許文献１に示す従来の屋内外掲揚立体鯉のぼりに於いて、即ち、吹流し、鯉のぼり本体内にフィルム風船を収容して膨張させた吹流し、黒、赤、青の鯉のぼりをロープに適宜間隔を置いて取付してなる鯉のぼりに於いて、ポール９の上部に一端部を螺着した横棒１５の他端部へ上記ロープ８の先端部を引掛けて鯉のぼりをロープ８に順次吊垂する。そして、ロープ８の他端部をポール９の下部へ結縛する。
【００１９】
そこで、ベース１０上に立設した断面コ状の支版１２に下部ポール９Ａを挿嵌して、螺子１３とナット１４に下部ポール９Ａを支版１２内に着脱自在に立設する。また、下部ポール９Ａと中間部ポール９Ｂを螺着して接続可能とした。
【００２０】
次に、吹流し１１、黒鯉のぼりＡ１、赤鯉のぼりＢ２、青鯉のぼりＣ３は夫々ポール９に固着した大リング３に連結する小リング４の開け閉めによって着脱自在にしてある。さらに、座敷用鯉のぼりが傾いたり、転倒しないように、ベース１０に重しとして屋根飾り蔵１６を載せておく。
【産業上の利用可能性】
【００２１】
本考案の座敷用掲揚立体鯉のぼりは、フィルム風船を利用した小型、軽量でコンパクトに構成されているゆえ、組立、取り外しが頗る簡単且容易にでき、然も小住宅、マンション等の座敷に使用するのに好適である。且又、屋根より高く泳いでいるように見える豪華で風流な鯉のぼりゆえ、健全な子供心を育むに相応しい座敷用鯉のぼりである。よって、教育産業に資するところ誠に大きなものがある。
【図面の簡単な説明】
【００２２】
【図１】本考案の１実施例を示す座敷用掲揚立体鯉のぼりの使用状態を示す正面図である。
【図２】（ａ）下部ポールをベース上へ起伏自在に構成した状態を示す参考説明図である。          （ｂ）上部ポールへ横棒を取付自在にした状態を示す参考説明図である。
【図３】（ａ）ポールへ小リングを重ね合わせた大リングを固着し、小リングへ鯉のぼりの口部の取付紐を締付けした状態を示す参考説明図である。          （ｂ）大リングへ重ね合わせた小リングを開放して空間部を形成した状態を示す参考説明図である。
【図４】鯉型フィルム風船を鯉のぼり本体内部へ収容したのち鯉のぼりに空気を入れている状態を示す従来のフィルム風船鯉のぼりを示すものである。
【図５】従来の風船鯉のぼりをロープにて吊下げした状態を示すものである。
【符号の説明】
【００２３】
Ａ１      黒鯉のぼり  
Ｂ２      赤鯉のぼり
Ｃ３      青鯉のぼり
１        口部
２        取付紐
２ａ      鯉型のフィルム風船
３        大リング
４        小リング
５        孔部
６        凸部
７        口金具
７Ａ      クリップ
８        ロープ
９        ポール
９Ａ      下部ポール
９Ｂ      中間部ポール
１０      ベース
１１      吹流し
１２      支版
１３      螺子
１４      ナット
１５      横棒
１６      屋根飾り蔵
１７      背びれ部
Ｘ        空間部
【図１】
0003129580.tif 000003
【図２】
0003129580.tif 000004
【図３】
0003129580.tif 000005
【図４】
0003129580.tif 000006
【図５】
0003129580.tif 000007